(57)【要約】      （修正有）【課題】不使用時にはコンパクトに折り畳め、使用時には簡単に展開できる収納スタンドを提供する。【解決手段】水平方向に延在する水平部と、垂直方向に延在する直立部とを有するスタンド１０を複数個備える収納スタンド２０であって、スタンドの水平部及び直立部は、１本の線条材で形成されており、一のスタンドの終点部と、他のスタンドの起点部とが、繰り返し繋ぎ合わされ、コイル状に形成されて、展開及び折り畳みが可能になっている。【選択図】図１
0003203222.tif 000002
【実用新案登録請求の範囲】
【請求項１】
水平方向に延在する水平部と、垂直方向に延在する直立部とを有するスタンドを複数個備える収納スタンドであって、
前記スタンドの前記水平部及び前記直立部は、１本の線条材で形成されており、
一の前記スタンドの終点部と、他の前記スタンドの起点部とが、繰り返し繋ぎ合わされ、コイル状に形成されて、展開及び折り畳みが可能になっている
ことを特徴とする収納スタンド。
【請求項２】
前記収納スタンドの折り畳み時に、前記水平部又は前記直立部の複数の前記線条材を係止するフックが備えられている
ことを特徴とする請求項１に記載の収納スタンド。
【請求項３】
前記収納スタンドが、弾性力により折り畳まれるように形成されている
ことを特徴とする請求項１又は２に記載の収納スタンド。
【請求項４】
前記スタンドの前記水平部は、円弧状又は放物線状に形成され、
前記スタンドの前記直立部は、円弧状又は放物線状に形成されている
ことを特徴とする請求項１から３までのいずれか１項に記載の収納スタンド。
【考案の詳細な説明】
【技術分野】
【０００１】
本考案は、物品を立て掛けて収納する収納スタンドに関する。
【背景技術】
【０００２】
従来、書籍、クリアホルダ・ファイル・ブック、ＣＤ・ＤＶＤケースなどの物品を立て掛けて収納する収納スタンドに関し、各種の技術が提案されている。
【０００３】
例えば、板材で形成されたＬ字状のスタンドを用いた収納棚・収納容器がよく知られている。また、特許文献１に記載のような、線条材で形成されたスタンドを用いた収納容器もあった。特許文献１に記載の収納容器は、コイルスプリングのピッチ間にフロッピー（登録商標）ディスクを立て掛けて収納するものである。
【０００４】
他方、特許文献２には、シートを弧状に湾曲させて形成したスタンド本体と、スタンド本体の両端を支持する平板とからなるものであって、スタンド本体に抜き穴が設けられた収納スタンドが記載されている。また、特許文献３にも、上記特許文献２に記載のものと同様の収納スタンドが記載されている。
【先行技術文献】
【特許文献】
【０００５】
【特許文献１】実開昭６２−１５５６３７号公報
【特許文献２】実開平０５−３５７７３号公報
【特許文献３】特開２００３−３００５８０号公報
【考案の概要】
【考案が解決しようとする課題】
【０００６】
一般的な収納棚・収納容器や特許文献１に記載の収納容器は、物品を収納しない不使用時であっても、簡単には分解されることはなく、そのままの状態であり、設置・保管スペースを必要とする。
【０００７】
他方、特許文献２及び３にみられる収納スタンドは、物品を収納しない不使用時には、簡単に分解して（ばらして）、コンパクトにすることも可能である。しかしながら、使用する場合には、収納スタンドを再度組み立てなければならず、さらに、特許文献２に記載の収納スタンドは、組立作業に接着剤や接着テープを必要とする（段落００１０等参照）。
【０００８】
そこで、本考案は、不使用時にはコンパクトに折り畳め、使用時には簡単に展開できる収納スタンドを提供することを目的とする。
【課題を解決するための手段】
【０００９】
（１）本考案に係る一つの態様は、水平方向に延在する水平部と、垂直方向に延在する直立部とを有するスタンドを複数個備える収納スタンドであって、前記スタンドの前記水平部及び前記直立部は、１本の線条材で形成されており、一の前記スタンドの終点部と、他の前記スタンドの起点とが、繰り返し繋ぎ合わされ、コイル状に形成されて、展開及び折り畳みが可能になっているものである。
【００１０】
（２）上記（１）の態様において、前記収納スタンドの折り畳み時に、前記水平部又は前記直立部の複数の線条材を係止するフックを備えてもよい。
【００１１】
（３）上記（１）又は（２）の態様において、前記収納スタンドが、弾性力により折り畳まれるように形成されていてもよい。
【００１２】
（４）上記（１）から（３）までのいずれか一つの態様において、前記スタンドの前記水平部は、円弧状又は放物線状に形成され、前記スタンドの前記直立部は、円弧状又は放物線状に形成されていてもよい。
【考案の効果】
【００１３】
本考案によれば、不使用時にはコンパクトに折り畳め、使用時には簡単に展開できる収納スタンドを提供することができる。
【図面の簡単な説明】
【００１４】
【図１】本考案の実施形態に係る収納スタンドの斜視図である。
【図２】本考案の実施形態に係る収納スタンドの折り畳み状態の斜視図である。
【図３】１単位のスタンドの斜視図である。
【図４】収納スタンド用のフックの斜視図である。
【考案を実施するための形態】
【００１５】
以下、添付図面を参照して、本考案を実施するための形態（以下、「実施形態」と称する）について詳細に説明する。実施形態の説明の全体をとおして、同じ要素には同じ符号を付している。
【００１６】
図１は、本考案の実施形態に係る収納スタンドの斜視図であり、図２は、収納スタンドの折り畳み状態の斜視図である。収納スタンド２０は、机上などの平面上に載置されて使用されるものである。そのため、図１及び２において、収納スタンド２０の下方に、台が描かれている。しかしながら、この台は、収納スタンド２０の三次元構造を理解し易くするために追記したものであり、本実施形態で特定される構成及び本実施形態に必須の構成ではない。なお、図３についても同様である。
【００１７】
収納スタンド２０は、後述する１単位のスタンド１０を複数個備え、一のスタンド１０の水平部１１の終点部と、他のスタンド１０の直立部１２の起点部とが、繰り返し繋ぎ合わされ、コイル状に形成されている。ただし、本実施形態に係る収納スタンドは、隣接するスタンド１０間の繋ぎ合わせが、一本の線条材で繋ぎ目なく形成されている。
【００１８】
そのため、隣接するスタンド１０間は、実質的に１点で繋ぎ合わされた状態となり、収納スタンド２０の水平方向の剛性は高くない。これにより、外力が所定の方向に加えられると、収納スタンド２０は、その方向に展開及び折り畳みが可能になっている。収納スタンド２０が展開されると、収納スタンド２０は隣接するスタンド１０間に物品Ｂを収納することができる。
【００１９】
図３は、１単位のスタンドの斜視図である。図３に示されるスタンド１０は、繰り返し部分を起点から終点までの１単位として、収納スタンド２０から切出したものである。
【００２０】
スタンド１０は、水平方向に延在する水平部１１と、略垂直方向に延在する直立部１２とを有する。スタンド１０の起点を設ける位置は、水平部１１でもよいし、直立部１２でもよいが、水平部１１の方が好ましく、水平部１１から直立部１２へと移行する地点とは反対の端部がより好ましい。終点は、起点の付近に設けられる。
【００２１】
水平部１１と直立部１２とがなす角度は、９０°以下であることが好ましい。これにより、スタンド１０は、１単位でも自立することができる。なお、水平部１１の重心位置と直立部１２と重心位置を調整することによって、両者がなす角度を１００°程度の鈍角にすることもできる。
【００２２】
水平方向に延在する水平部１１の形状は、略円弧状又は放物線状でもよく、三角形、方形、台形、他の多角形でもよく、一筆書きの要領で形成できる形状であればよい。
【００２３】
垂直方向に延在する直立部１２の形状は、略円弧状又は放物線状でもよく、三角形、方形、台形、他の多角形でもよい。さらに、頂点付近に、花や星などの図形を形成してもよいし、全体で富士山のような山型に形成してもよく、一筆書きの要領で形成できる形状であればよい。
【００２４】
スタンド１０を形成する線条材の材料は、金属、プラスチック、ＦＲＰなどであり、弾性を有するバネ材であってもよい。線条材の直径は、０．５〜５ｍｍ程度である。
【００２５】
図４は、収納スタンド用のフックの斜視図である。図４に示されるフック３０は、折り畳み時に、展開されないように、収納スタンド２０の水平部１１又は直立部１２のうち略直線領域に設けられ、複数の線条材を係止する。フック３０は、帯状のものであり、一端側が、線条材に回動可能に係留されている。
【００２６】
上述したように、本考案の実施形態に係る収納スタンドは、一のスタンドの水平部の終点部と、他のスタンドの直立部の起点部とが、繰り返し繋ぎ合わされ、コイル状に形成されている。これにより、収納スタンドは、単体での使用であっても、収納棚や収納容器での使用であっても、不使用時にはコンパクトに折り畳め、使用時には簡単に展開できる収納スタンドを提供することができる。
【００２７】
（変形例）
上記実施形態では、収納スタンド２０は、一本の線条材で繋ぎ目なく形成されたが、複数のスタンド１０を繋ぎ合わせて形成してもよい。複数のスタンド１０の繋ぎ合わせは、溶接、接着・溶着、クリップや共カシメなどの棒状材同士又は線条材同士の周知の接合方法により行われる。
【００２８】
上記実施形態では、フック３０は、一端側が線条材に係留されていたが、両端とも係留されておらず、収納スタンド２０から着脱できるものであってもよく、また、帯状のものであったが、線条のものでもよい。さらに、フックを収納スタンド２０の両端部に設けて、一方側のフックと他方側のフックとを係止させてもよいし、また、紐状のもので縛って収納スタンド２０を係止してもよく、その他の周知の係止方法を採用してもよい。
【００２９】
上記実施形態では、収納スタンド２０は、展開又は折り畳みが可能になっていたが、さらに、収納スタンド２０が、引張コイルバネのように弾性力により折り畳まれるように形成されていてもよい。これによれば、収納スタンド２０から物品Ｂが取り出されると、収納スタンド２０は自然に折り畳まれる。
【００３０】
逆に、収納スタンド２０が、圧縮コイルバネのように弾性力により展開されるように形成されていてもよい。これによれば、フック３０の係止が解除されると、収納スタンド２０は自然に展開される。
【００３１】
以上、本考案の好ましい実施形態について詳述したが、本考案は上述した実施形態に限定されるものではなく、実用新案登録請求の範囲に記載された本考案の要旨の範囲内において、種々の変形、変更が可能である。
【符号の説明】
【００３２】
１０      スタンド
１１      水平部
１２      直立部
２０      収納スタンド
３０      フック
Ｂ        物品
【図１】
0003203222.tif 000003
【図２】
0003203222.tif 000004
【図３】
0003203222.tif 000005
【図４】
0003203222.tif 000006